(57)【要約】      （修正有）【課題】会葬者の注意を惹きつけることができ、そのまま捨てられることのないようにした会葬礼状を提供する。【解決手段】葬儀の会葬者に渡される会葬礼状において、２つ折りの用紙１２の内面には、会葬者に対する喪主の挨拶又はお礼の複数の文章から選択された文章１３，１４、故人を想起し印象づける複数の文章又は言葉から選択された文章１８又は言葉、故人を想起し印象づける複数の図案から選択された図案１９、喪主の住所と名前１５が所定のレイアウトに印刷されている。【選択図】図１
0003143756.tif 000002
【実用新案登録請求の範囲】
【請求項１】
葬儀の会葬者に渡される会葬礼状において、
２つ折りの用紙(12)の内面には、会葬者に対する喪主の挨拶又はお礼の複数の文章から選択された文章(13,14)、故人を想起し印象づける複数の文章又は言葉から選択された文章(18,18')又は言葉、故人を想起し印象づける複数の図案から選択された図案(19,19')、喪主の住所と名前(15)が所定のレイアウトに印刷されたことを特徴とする会葬礼状。
【請求項２】
上記２つ折りの用紙(12)の内面の右側に喪主の挨拶(13)又はお礼(14)の文章が印刷され、上記２つ折りの用紙(12)の内面の左側に喪主の住所と名前(15)及び故人を想起し印象づける文章(18,18')又は言葉が印刷され、上記２つ折りの用紙(12)の内面の任意の位置に故人を想起し印象づける図案(19,19')が印刷されている請求項１記載の会葬礼状。
【請求項３】
上記故人を想起し印象づける文章(18,18')又は言葉と上記故人を想起し印象づける図案(19,19')とが相互に関連する内容である請求項１記載の会葬礼状。
【請求項４】
上記喪主の挨拶(13)又はお礼(14)の文章、故人を想起し印象づける文章(18,18')又は言葉、及び故人を想起し印象づける図案(19,19')が予め定型化された文章、言葉又は図案である請求項１記載の会葬礼状。
【請求項５】
上記故人を想起し印象づける図案(19,19')が、故人の趣味、嗜好、愛着があったもの又は職業を示し又は連想させる図案である請求項１記載の会葬礼状。
【考案の詳細な説明】
【技術分野】
【０００１】
本考案は会葬礼状に関し、特に会葬者の注意を惹きつけることができ、そのまま捨てられることのないようにした会葬礼状に関する。
【背景技術】
【０００２】
通常、葬儀への参列者には喪主からの御礼の意を込めた会葬礼状が手渡されることが多い。従来の会葬礼状は葉書２枚分の大きさの横長の用紙に故人の名前とお礼の文章、喪主の住所と名前、「親族一同」の文字を印刷したものが一般的であった（特許文献１）。
【０００３】
【特許文献１】特開２００２−８６９６５号公報
【考案の開示】
【考案が解決しようとする課題】
【０００４】
しかし、従来の会葬礼状は定型的な内容であったので、会葬者は礼状を受取っても喪主の挨拶やお礼などを読まないでそのまま捨ててしまうことが多かった。
【０００５】
本考案は、かかる問題点に鑑み、会葬者の注意を惹きつけることができ、そのまま捨てられることのないようにした会葬礼状を提供することを課題とする。
【課題を解決するための手段】
【０００６】
そこで、本考案に係る会葬礼状は、葬儀の会葬者に渡される会葬礼状において、２つ折りの用紙の内面には、会葬者に対する喪主の挨拶又はお礼の複数の文章から選択された文章、故人を想起し印象づける複数の文章又は言葉から選択された文章又は言葉、故人を想起し印象づける複数の図案から選択された図案、喪主の住所と名前が所定のレイアウトに印刷されたことを特徴とする。
【０００７】
本考案の特徴の１つは喪主の挨拶又はお礼と喪主の住所や名前に加え、故人を想起し印象づける文書又は言葉と図案とを会葬礼状に印刷するようにした点にある。
【０００８】
これにより、葬儀の会葬者が会葬礼状を受取って開くと、故人に関連する文書又は言葉と図案から故人を想起して礼状に視線が惹きつけられる結果、喪主の挨拶やお礼の文章にも視線が移り、これを読むことが多くなるので、会葬礼状をそのまま捨て去ることが少なくなることが期待される。
【０００９】
また、喪主の挨拶又はお礼の文章、故人を想起し印象づける文章又は言葉、及び故人を想起し印象づける図案を予め定型化しておき、定型化した文書などから喪主や親族が選択選択するようにすると、会葬礼状の印刷がより一層円滑に行うことができる。
【００１０】
喪主の挨拶又はお礼、故人を想起し印象づける文章や言葉及び図案、喪主の住所と名前は任意にレイアウトしてもよいが、会葬礼状のレイアウトは概ね決まっているので、それに従ったレイアウトにするのがよい。
【００１１】
すなわち、２つ折りの用紙の内面の右側には喪主の挨拶又はお礼の文章を印刷し、２つ折りの用紙の内面の左側には喪主の住所と名前及び故人を想起し印象づける文章又は言葉を印刷し、２つ折りの用紙の内面の任意の位置には故人を想起し印象づける図案を印刷するのが好ましい。
【００１２】
故人を想起し印象づける図案には、例えば故人の趣味、嗜好、愛着のあったもの、あるいは職業を示し又は連想させる図案を挙げることができる。
【００１３】
故人を想起し印象づける文章又は言葉と故人を想起し印象づける図案とは相互に関連する内容とするのがよい。例えば、故人の趣味が麻雀の場合には故人を想起し印象づける文章又は言葉には「父はマージャンが大好きな優しい人でした。」の文章を選択し、故人を想起し印象づける図案には麻雀牌の図案を選択することができる。また、故人の趣味が運動、例えばサッカーの場合には「父はサッカーが大好きな優しい人でした。」の文章を選択し、故人を想起し印象づける図案にはサッカープレイヤーの図案を選択することができる。
【考案を実施するための最良の形態】
【００１４】
以下、本考案を図面に示す具体例に基づいて詳細に説明する。図１は本考案に係る会葬礼状の好ましい実施形態を示す。図において、会葬礼状１０は二つ折りの葉書の大きさの横長四角形状の用紙１１を用いて製作され、用紙１１の周囲には縁取り１２が印刷されている。
【００１５】
この用紙１１の内面には右側から喪主の挨拶１３、例えば「謹啓  亡父・・・」とお礼１４、例えば「早速拝趨の上・・・」の文章が印刷されるとともに、日付が印刷されている。この喪主の挨拶１３とお礼１４は予め定められた定型の文章の中から喪主や親族によって選択されるようになっている。
【００１６】
用紙１１の内面の左側には喪主の住所、喪主の姓名１５及び「親族一同」の文字１６が印刷され、その上方には家紋１７が印刷され、その右側には故人を想起し印象づける文章１８、例えば「父は麻雀の大好きな優しい人でした。」の文章が印刷されるとともに、故人を想起し印象づける図案１９、例えば麻雀牌の図案が喪主の情報の下側に重なるようにして印刷されている。
【００１７】
故人を想起し印象づける文章１８及び図案１９は予め定められた定型の文章の中から喪主や親族によって選択されるようになっている。喪主の挨拶１３とお礼１４、喪主の住所及び姓名、「親族一同」の文字は従来の会葬礼状と同様にレイアウトされ、その余白のスペースに故人を想起し印象づける文章１８や故人を想起し印象づける図案１９が印刷されるようになっている。
【００１８】
本例の会葬礼状は故人を想起し印象づける文章１８及び図案１９が印刷されているので、これにより、葬儀の会葬者が会葬礼状１０を受取って開くと、故人に関連する文書１８や図案１９から故人を想起し印象づけられて会葬礼状１０に視線が惹きつけられる結果、喪主の挨拶１３やお礼１４の文章にも視線が移り、これを読むことが多くなるので、会葬礼状をそのまま捨て去ることが少なくなる。
【００１９】
また、喪主の挨拶１３又はお礼１４の文章、故人を想起し印象づける文章１８、及び故人を想起し印象づける図案１９を予め定型化しておき、定型化した複数の文書などから喪主や親族が選択するようにしたので、会葬礼状１０の作成をより一層円滑に行うことができる。
【００２０】
図２は第２の実施形態を示し、図において図１と同一符号は同一又は相当部分を示す。本例では故人を想起し印象づける文章１８’に「父はサッカーの大好きな優しい人でした。」の文章が印刷され、故人を想起し印象づける図案１９’にサッカープレイヤーの図案が印刷されている。
【００２１】
このように、故人を想起し印象づける文章や言葉及び故人を想起し印象づける図案は、複数の文章や言葉及び図案を相互に関連する内容で予め定型化しておき、喪主や親族によって選択されるようにすることができる。
【図面の簡単な説明】
【００２２】
【図１】本考案に係る会葬礼状の好ましい実施形態を示す平面図である。
【図２】第２の実施形態を示す平面図である。
【符号の説明】
【００２３】
１０            会葬礼状
１２            二つ折り用紙
１３            喪主の挨拶文
１４            喪主のお礼文
１５            喪主の住所と姓名
１６            親族一同の文字
１８、１８’    故人を想起し印象づける文章
１９、１９’    故人を想起し印象づける図案
【図１】
0003143756.tif 000003
【図２】
0003143756.tif 000004
【手続補正書】
【提出日】平成20年3月12日(2008.3.12)
【手続補正１】
【補正対象書類名】実用新案登録請求の範囲
【補正対象項目名】全文
【補正方法】変更
【補正の内容】
【実用新案登録請求の範囲】
【請求項１】
葬儀の会葬者に渡される会葬礼状において、
２つ折りの用紙(12)の内面の右側には、会葬者に対する喪主の挨拶又はお礼の複数の文章から選択された文章(13,14)が印刷され、上記２つ折りの用紙(12)の内面の左側には、故人を想起し印象づける複数の文章又は言葉から選択された文章(18,18')又は言葉と喪主の住所及び名前(15)とが印刷され、上記２つ折りの用紙(12)の内面の任意の位置には、故人を想起し印象づける複数の図案から選択された図案(19,19')が印刷されたことを特徴とする会葬礼状。
【請求項２】
上記故人を想起し印象づける文章(18,18')又は言葉と上記故人を想起し印象づける図案(19,19')とが相互に関連する内容である請求項１記載の会葬礼状。
【請求項３】
上記喪主の挨拶(13)又はお礼(14)の文章、故人を想起し印象づける文章(18,18')又は言葉、及び故人を想起し印象づける図案(19,19')が予め定型化された文章、言葉又は図案である請求項１記載の会葬礼状。
【請求項４】
上記故人を想起し印象づける図案(19,19')が、故人の趣味、嗜好、愛着があったもの又は職業を示し又は連想させる図案である請求項１記載の会葬礼状。
【手続補正書】
【提出日】平成20年5月14日(2008.5.14)
【手続補正１】
【補正対象書類名】図面
【補正対象項目名】全図
【補正方法】変更
【補正の内容】
【図１】
0003143756.tif 000005
【図２】
0003143756.tif 000006